【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
モバイル装置がリモート端末にリンクされるセッションを改良するシステムであって、
モバイル装置と、
リモート端末と、
前記リモート端末と前記モバイル装置とを接続するデータリンクと、
を有し、
前記リモート端末、前記モバイル装置及び前記データリンクは、前記モバイル装置が前記リモート端末にリンクされるとき、セッションのパフォーマンスを決定するパラメータセットであって、静的パラメータと動的パラメータとの双方を有する前記パラメータセットを規定し、
当該システムは、
前記モバイル装置と前記リモート端末との間のライブセッションのパフォーマンスを評価し、
前記パラメータセットからのパラメータに対する変更を特定し、
前記特定されたパラメータを変更し、
前記変更されたパラメータに基づきパフォーマンスを再評価し、
パフォーマンスが改善されている場合、前記特定されたパラメータの変更を採用し、
必要に応じて終了まで前記評価、特定、変更、再評価及び採用ステップを繰り返すよう構成され、
当該システムは、前記動的パラメータに対する変更前に前記静的パラメータに対する変更の特定を優先させるよう構成されるシステム。
【請求項２】
前記パラメータセットは、前記モバイル装置からキャプチャされて送信されたイメージデータが前記リモート端末上に正しく表示されることを保証するため、イメージスケーリングパラメータを有し、
前記特定ステップは、前記イメージスケーリングパラメータに対する変更が適切である場合、前記変更の特定を優先させる、請求項１記載のシステム。
【請求項３】
セッションのパフォーマンスは、フレームレンダリングメトリック又はピクセルスループットメトリックから選ばれる１以上のパフォーマンスメトリックを利用することによって評価される、請求項１又は２記載のシステム。
【請求項４】
セッションのパフォーマンスは、前記１以上のパフォーマンスメトリックと閾値とを比較することによって評価され、
前記変更を特定するステップは、前記パフォーマンスメトリックが前記閾値以下に低下することに依存する、請求項３記載のシステム。
【請求項５】
当該システムは、前記パフォーマンスが前記閾値以上であるときに終了が発生するように構成される、請求項４記載のシステム。
【請求項６】
当該システムは、所定の期間後に終了が発生するよう構成される、請求項１乃至５何れか一項記載のシステム。
【請求項７】
当該システムは、異なるシナリオにおいて有効であるすべての変更を記述するルールセットを格納するデータベースを有し、
当該システムは、前記ルールセットから有効な変更を選択することによってパラメータに対する変更を特定するよう構成される、請求項１乃至６何れか一項記載のシステム。
【請求項８】
前記ルールは、静的ルールと動的ルールとにグループ化される、請求項７記載のシステム。
【請求項９】
イメージスケーリングパラメータに対する変更は、前記静的ルールの範囲内であり、
当該システムは、前記動的ルールの前に前記静的ルールを考慮するよう構成され、
前記特定ステップは、前記イメージスケーリングパラメータに対する変更が適切である場合、前記変更の特定を優先させる、請求項８記載のシステム。
【請求項１０】
当該システムは、局所最大に到達すると終了が行われるように構成される、請求項１乃至９何れか一項記載のシステム。
【請求項１１】
当該システムは、局所最大に到達したと判断し、当該判断に応答して、前記ルールセットから有効な変更をランダムに選択し、前記ランダムに選択された変更を実現し、前記評価ステップにループバックするよう構成される、請求項７乃至１０何れか一項記載のシステム。
【請求項１２】
前記パラメータセットはさらに、ピクセルフォーマットと符号化との１以上を有する、請求項１乃至１１何れか一項記載のシステム。
【請求項１３】
当該システムは、前記ピクセルフォーマットのパラメータの変更が、前記モバイル装置と前記リモート端末との双方について前記リモート端末により利用されるピクセルフォーマットを採用することを特定する、請求項１２記載のシステム。
【請求項１４】
前記再評価されたパフォーマンス又は推定値が前記以前に評価されたパフォーマンス又は推定値を下回ると、前記変更がリバースされる、請求項１乃至１３何れか一項記載のシステム。
【請求項１５】
前記モバイル装置又は前記リモート端末の少なくとも１つは、入力システムを有し、
ユーザは、前記モバイル装置又は前記リモート端末の前記入力システムにキャリブレーション段階に対するリクエストを入力する、請求項１乃至１４何れか一項記載のシステム。
【請求項１６】
前記携帯電話のプロセッサは、当該システムの評価、変更、再評価及び採用ステップを実現するよう構成される、請求項１乃至１５何れか一項記載のシステム。
【請求項１７】
前記リモート端末のプロセッサは、当該システムの評価、変更、再評価及び採用ステップを実現するよう構成される、請求項１乃至１６何れか一項記載のシステム。
【請求項１８】
モバイル装置がリモート端末にリンクされるセッションを改善するよう構成されるモバイル装置であって、
プロセッサと、
当該モバイル装置をリモート端末に接続するよう構成されるデータリンクと通信する通信モジュールと、
を有し、
前記リモート端末、前記モバイル装置及び前記データリンクは、前記モバイル装置がディスプレイ上に現在表示されるデータのイメージをキャプチャ及び送信するため、リモート端末にリンクされるとき、セッションのパフォーマンスを決定するパラメータセットであって、静的パラメータと動的パラメータとの双方を有する前記パラメータセットを規定し、
前記プロセッサは、
前記モバイル装置と前記モバイル装置が接続可能な前記リモート端末との間のライブセッションのパフォーマンスを評価し、
前記パラメータセットからのパラメータに対する変更を特定し、
前記特定されたパラメータを変更し、
前記変更されたパラメータに基づきパフォーマンスを再評価し、
パフォーマンスが改善されている場合、前記特定されたパラメータの変更を採用し、
終了まで必要に応じて前記評価、特定、変更、再評価及び採用ステップを繰り返すよう構成され、
前記プロセッサは、前記動的パラメータに対する変更前に前記静的パラメータに対する変更の特定を優先させるよう構成されるモバイル装置。
【請求項１９】
リモート端末がモバイル装置にリンクされるセッションを改善する方法であって、
前記リモート端末とモバイル装置との間のライブセッションのパフォーマンスを評価するステップであって、前記リモート端末、前記モバイル装置及び前記モバイル装置と前記リモート端末とを接続するよう構成されるデータリンクは、前記セッションのパフォーマンスを決定するパラメータセットを規定する、前記評価するステップと、
静的パラメータと動的パラメータとの双方を含む前記パラメータセットからのパラメータに対する変更を特定するステップと、
前記特定されたパラメータを変更するステップと、
前記変更されたパラメータに基づきパフォーマンスを再評価するステップと、
パフォーマンスが改善されている場合、前記特定されたパラメータの変更を採用するステップと、
終了まで必要に応じて前記評価、特定、変更、再評価及び採用ステップを繰り返すステップと、
を有し、
前記プロセッサは、前記動的パラメータに対する変更前に前記静的パラメータに対する変更の特定を優先させるよう構成される方法。
【請求項２０】
プロセッサ上で実現されると、請求項１９記載の方法を前記プロセッサに実行させるプロセッサ制御コードを担持するキャリア。